(57)【要約】【課題】皿がコンベアで移送されている段階で、客が早く商品を確認でき、選択できるようにすると共に、商品情報を広い範囲で公開することができる情報表示システムを提供する。【解決手段】客席に沿って皿を移送するコンベア１０１に沿って設置された複数台の縦置きのモニタ装置１０２と、モニタ装置１０２の前をコンベア１０１によって移送される皿１０４に取り付けられたＩＣタグ１０５から、皿１０４に載せられた商品に関するタグ情報を読み取るタグリーダー１０３とが、ネットワークを介してモニタ制御装置１０７に接続された情報表示システムに於いて、モニタ制御装置１０７は、タグリーダー１０３から、ＩＣタグ１０５のタグ情報及びタグリーダーＩＤを受信すると、データベースを検索し、タグ情報に対応する商品の商品情報を取得する手段と、タグリーダーＩＤに対応するモニタ装置１０２に取得した商品情報を表示させるように制御する手段とを備える。【選択図】図１
2012113526.tif 000002
【特許請求の範囲】
【請求項１】
客席に沿って皿を移送するコンベアに沿って設置された複数台の縦置きのモニタ装置と、前記モニタ装置の前を移送される皿に取り付けられたＩＣタグから、前記皿に載せられた商品に関するタグ情報を読み取るタグリーダーとが、ネットワークを介してモニタ制御装置に接続された情報表示システムに於いて、
前記モニタ制御装置は、
前記タグリーダーから、前記ＩＣタグのタグ情報及びタグリーダーＩＤを受信すると、受信したタグ情報に基づき、前記タグ情報に対応する前記商品の商品情報をデータベースから取得する手段と、
受信した前記タグリーダーＩＤに対応するモニタ装置に、取得した前記商品情報に基づいて、所定の商品情報を表示させるように制御する手段とを備え、
前記コンベアによって、前記皿が商品を載せて前記モニタ装置の前に移送されてきた時、前記皿に載せられた商品の所定の商品情報が、前記モニタ装置に表示されるように構成されたことを特徴とする情報表示システム。
【請求項２】
前記皿は、前記商品としての寿司を載せる回転寿司用の皿であり、前記商品情報には、前記寿司の寿司ネタとなる生物の生態情報、前記生物に対応する画像、又は、前記寿司ネタに関連するクイズ情報のうち少なくともいずれか一つが含まれることを特徴とする請求項１記載の情報表示システム。
【請求項３】
前記画像は、前記寿司ネタとなる生物の生態状態又は生物の関連情報を表示する動画であることを特徴とする請求項２記載の情報表示システム。
【請求項４】
前記モニタ制御装置は、
前記ＩＣタグが取り付けられた前記皿が、前記モニタ装置の前を移送されると、前記タグリーダーに、前記タグリーダーと前記ＩＣタグとの距離を検知させることによって前記ＩＣタグの動きを検知し、或いは、前記ＩＣタグの初回の検知時点からの経過時間と、前記コンベアの移送速度とから計算して前記ＩＣタグの動きを検知する手段と、
前記ＩＣタグの動きに合わせて、前記ＩＣタグのタグ情報に対応する静止画、動画、紹介情報のうち少なくともいずれか一つの商品情報を前記モニタ装置の表示画面上で流れていくように表示させる手段を備えたことを特徴とする請求項１乃至３のうちいずれか一に記載の情報表示システム。
【請求項５】
客席に沿って皿を移送するコンベアに沿って設置された複数台の縦置きのモニタ装置と、前記モニタ装置の前を移送される皿に取り付けられたＩＣタグから、前記皿に載せられた商品に関するタグ情報を読み取るタグリーダーとが、ネットワークを介してモニタ制御装置に接続された情報表示システムにおける情報表示方法に於いて、
前記モニタ制御装置は、
前記タグリーダーから、前記ＩＣタグのタグ情報及びタグリーダーＩＤを受信すると、受信した前記タグ情報に基づき、前記タグ情報に対応する前記商品の商品情報をデータベースから取得するステップと、
受信した前記タグリーダーＩＤに対応するモニタ装置に、取得した前記商品情報に基づいて、所定の商品情報を表示させるように制御するステップとを実行し、
前記コンベアによって、前記皿が商品を載せて前記モニタ装置の前に移送されてきた時、前記皿に載せられた商品の所定の商品情報が、前記モニタ装置に表示されることを特徴とする情報表示方法。
【請求項６】
前記皿は、前記商品としての寿司を載せる回転寿司用の皿であり、前記商品情報には、前記寿司の寿司ネタとなる生物の生態情報、前記生物に対応する画像、又は、前記寿司ネタに関連するクイズのうち少なくともいずれか一つが含まれることを特徴とする請求項５記載の情報表示方法。
【請求項７】
前記画像は、前記寿司ネタとなる生物の生態状態又は生物の関連情報を表示する動画であることを特徴とする請求項６記載の情報表示方法。
【請求項８】
前記モニタ制御装置は、
前記ＩＣタグが取り付けられた前記皿が、前記モニタ装置の前を移送されると、前記タグリーダーに、前記タグリーダーと前記ＩＣタグとの距離を検知させることによって前記ＩＣタグの動きを検知し、或いは、前記ＩＣタグの初回の検知時点からの経過時間と、前記コンベアの移送速度とから計算して前記ＩＣタグの動きを検知するステップと、
前記ＩＣタグの動きに合わせて、前記ＩＣタグのタグ情報に対応する静止画、動画、紹介情報のうち少なくともいずれか一つの商品情報を前記モニタ装置の表示画面上で流れていくように表示させるステップとを実行することを特徴とする請求項５乃至７のうちいずれか一に記載の情報表示方法。
【発明の詳細な説明】
【技術分野】
【０００１】
本発明は、情報表示システムおよび表示方法に関し、特に、コンベアで移送されてくる商品に関連する情報をモニタに効果的に表示できるものに関する。
【背景技術】
【０００２】
商品に関連する広告などの情報を見る者の注意を惹くような意外性のある高い視覚効果で表示する情報表示システムが提供されている。例えば、回転寿司で使用しているコンベアで移送されてくる皿を取ってテーブルの上に置くと、テーブルに埋め込まれている液晶パネルに皿の上の寿司の情報を表示する装置が知られている（例えば特許文献１）。
この表示装置では、皿に固着されたＩＣ（Integrated Circuit）タグが、テーブルに取り付けられたタグリーダーによって検知され、ＩＣタグに記憶されたタグ情報がタグリーダーによってＰＣ（Personal Computer）に読み込まれ、ＰＣの内蔵ハードディスクに記憶されたデータベースを参照して、タグ情報に対応する動画データ番号の動画データを内蔵ハードディスクから読み出し、ビデオ回路を介してテーブルの一部である液晶パネルに出力する。
【先行技術文献】
【特許文献】
【０００３】
【特許文献１】特開２００９−８６７５５号公報
【発明の概要】
【発明が解決しようとする課題】
【０００４】
特許文献１記載の技術では、コンベアで移送されている皿を手に取り、テーブルの上に置いた時点で情報が初めて表示されるため、皿がコンベアで移送されている状態では、客は皿に盛られた寿司の情報を知ることが出来ない。そのため、客は寿司の情報を参照しながら取るべき皿を選んだり、モニタに表示される視覚効果を楽しみながら皿を選ぶことは出来ない。
また、皿を固定テーブルに置いた時のみ情報が表示され、皿がコンベア上にある時は情報を見ることが出来ないため、視覚効果のある表示ができる時間も限られる。
さらに、固定テーブルに情報を表示するため、固定テーブルに座っている人のみ情報を視聴することができ、情報公開範囲が狭い。
【０００５】
以上の現状に鑑み、本発明は、皿がコンベアによって移送されている段階で、皿上の商品をモニタに表示し、客席に座っている客が早く商品を確認でき、選択できるようにすると共に、客席に座っている客以外の客にも商品情報を広い範囲で公開することができる、高い視覚効果で表示可能な情報表示システムおよび表示方法を提供することを目的とする。
【課題を解決するための手段】
【０００６】
上記の課題を解決すべく、本発明は以下の構成を提供する。
請求項１に係る発明は、客席に沿って皿を移送するコンベアに沿って設置された複数台の縦置きのモニタ装置と、前記モニタ装置の前を移送される皿に取り付けられたＩＣタグから、前記皿に載せられた商品に関するタグ情報を読み取るタグリーダーとが、ネットワークを介してモニタ制御装置に接続された情報表示システムに於いて、
前記モニタ制御装置は、
前記タグリーダーから、前記ＩＣタグのタグ情報及びタグリーダーＩＤを受信すると、受信したタグ情報に基づき、前記タグ情報に対応する前記商品の商品情報をデータベースから取得する手段と、
受信した前記タグリーダーＩＤに対応するモニタ装置に、取得した前記商品情報に基づいて、所定の商品情報を表示させるように制御する手段とを備え、
前記コンベアによって、前記皿が商品を載せて前記モニタ装置の前に移送されてきた時、前記皿に載せられた商品の所定の商品情報が、前記モニタ装置に表示されるように構成されたことを特徴とする情報表示システムを提供するものである。
【０００７】
請求項２に係る発明は、前記皿は、前記商品としての寿司を載せる回転寿司用の皿であり、前記商品情報には、前記寿司の寿司ネタとなる生物の生態情報、前記生物に対応する画像、又は、前記寿司ネタに関連するクイズ情報のうち少なくともいずれか一つが含まれることを特徴とする請求項１記載の情報表示システムを提供するものである。
【０００８】
請求項３に係る発明は、前記画像は、前記寿司ネタとなる生物の生態状態又は生物の関連情報を表示する動画であることを特徴とする請求項２記載の情報表示システムを提供するものである。
【０００９】
請求項４に係る発明は、前記モニタ制御装置は、
前記ＩＣタグが取り付けられた前記皿が、前記モニタ装置の前を移送されると、前記タグリーダーに、前記タグリーダーと前記ＩＣタグとの距離を検知させることによって前記ＩＣタグの動きを検知し、或いは、前記ＩＣタグの初回の検知時点からの経過時間と、前記コンベアの移送速度とから計算して前記ＩＣタグの動きを検知する手段と、
前記ＩＣタグの動きに合わせて、前記ＩＣタグのタグ情報に対応する静止画、動画、紹介情報のうち少なくともいずれか一つの商品情報を前記モニタ装置の表示画面上で流れていくように表示させる手段を備えたことを特徴とする請求項１乃至３のうちいずれか一に記載の情報表示システムを提供するものである。
【００１０】
請求項５に係る発明は、客席に沿って皿を移送するコンベアに沿って設置された複数台の縦置きのモニタ装置と、前記モニタ装置の前を移送される皿に取り付けられたＩＣタグから、前記皿に載せられた商品に関するタグ情報を読み取るタグリーダーとが、ネットワークを介してモニタ制御装置に接続された情報表示システムにおける情報表示方法に於いて、
前記モニタ制御装置は、
前記タグリーダーから、前記ＩＣタグのタグ情報及びタグリーダーＩＤを受信すると、受信した前記タグ情報に基づき、前記タグ情報に対応する前記商品の商品情報をデータベースから取得するステップと、
受信した前記タグリーダーＩＤに対応するモニタ装置に、取得した前記商品情報に基づいて、所定の商品情報を表示させるように制御するステップとを実行し、
前記コンベアによって、前記皿が商品を載せて前記モニタ装置の前に移送されてきた時、前記皿に載せられた商品の所定の商品情報が、前記モニタ装置に表示されることを特徴とする情報表示方法を提供するものである。
【００１１】
請求項６に係る発明は、前記皿は、前記商品としての寿司を載せる回転寿司用の皿であり、前記商品情報には、前記寿司の寿司ネタとなる生物の生態情報、前記生物に対応する画像、又は、前記寿司ネタに関連するクイズのうち少なくともいずれか一つが含まれることを特徴とする請求項５記載の情報表示方法を提供するものである。
【００１２】
請求項７に係る発明は、前記画像は、前記寿司ネタとなる生物の生態状態又は生物の関連情報を表示する動画であることを特徴とする請求項６記載の情報表示方法を提供するものである。
【００１３】
請求項８に係る発明は、前記モニタ制御装置は、
前記ＩＣタグが取り付けられた前記皿が、前記モニタ装置の前を移送されると、前記タグリーダーに、前記タグリーダーと前記ＩＣタグとの距離を検知させることによって前記ＩＣタグの動きを検知し、或いは、前記ＩＣタグの初回の検知時点からの経過時間と、前記コンベアの移送速度とから計算して前記ＩＣタグの動きを検知するステップと、
前記ＩＣタグの動きに合わせて、前記ＩＣタグのタグ情報に対応する静止画、動画、紹介情報のうち少なくともいずれか一つの商品情報を前記モニタ装置の表示画面上で流れていくように表示させるステップとを実行することを特徴とする請求項５乃至７のうちいずれか一に記載の情報表示方法を提供するものである。
【発明の効果】
【００１４】
本発明の情報表示システムおよび表示方法によれば、高い視覚効果で表示する情報表示システムおよび表示方法を実現することができる。
【図面の簡単な説明】
【００１５】
【図１】情報表示システムに係るシステム構成図である。
【図２】（ａ）皿の側面図である。（ｂ）皿の裏面図である。
【図３】情報表示システムの情報の流れを模式的に示す説明図である。
【図４】データベースの一例を示す説明図である。
【図５】情報表示システムの処理の流れを示すフローチャートである。
【図６】モニタの表示例を示す説明図である。
【発明を実施するための形態】
【００１６】
以下、実施例を示した図面を参照しつつ本発明の実施の形態を説明する。
なお、上記モニタ制御装置は、コンピュータであり、上記各手段又はステップは、コンピュータのＣＰＵが必要なコンピュータプログラムを読み込んで実行することにより実現される手段又はステップであり、そのフローチャート図が図５である。
【００１７】
図１は、本発明の実施形態の一例を示す情報表示システムの構成図である。
図１は、回転寿司における情報表示システムを想定したものである。図１では、コンベア１０１、モニタ装置１０２、タグリーダー１０３、皿１０４、ＩＣタグ１０５、データ入力装置１０６、モニタ制御装置１０７が示されている。
コンベア１０１は、寿司を載せた皿１０４を客席に沿って移送するものであり、図１では時計回りに皿１０４を流す機構を備えている。図１では時計回りの例を示したが、反時計回りでも構わない。
【００１８】
モニタ装置１０２は、コンベア１０１に沿って複数台設置されている。モニタ装置１０２の表示画面は店内全体および客席からも見やすいように、垂直に立てて縦置きで設置するのが望ましい。また、店内全体から情報が見えるように、コンベア周囲の各方向（図１では右側、下側、左側、上側）に設置されることが望ましい。また、モニタ装置１０２は、ネットワーク（図示せず）を介してモニタ制御装置１０７と接続されている。モニタ装置１０２は、各装置と通信する通信部と、各プログラムを格納する記憶部と、プログラムを実行するとともに装置全体を制御する中央演算部と、を少なくとも備えており、後述するモニタ装置１０２の動作処理は、必要なプログラムを読み出した中央演算部により実行されるものとする。
【００１９】
タグリーダー１０３は、皿１０４に取り付けられたＩＣタグ１０５を読み取るものであり、ＩＣタグ１０５に登録された商品番号を読み取ることが出来る。タグリーダー１０３は、モニタ装置１０２に設置されるのが望ましいが、モニタ装置１０２の前を流れる皿１０４のＩＣタグ１０５を検知できる位置であれば、その他の位置でも構わない。例えば、モニタ装置１０２の台座、モニタ装置１０２が設置されたテーブルなどでも構わない。
また、タグリーダー１０３は、ネットワークを介してモニタ制御装置１０７と接続されている。
皿１０４は、寿司を載せる皿であり、皿１０４がモニタ装置１０２の前に移送されてきたとき、流れる皿１０４の動きに合わせて当該モニタ装置１０２に情報が表示される。
ＩＣタグ１０５は、皿１０４に設置されており、例えば、皿１０４の裏面中央部に固着されている。ＩＣタグ１０５は非接触型ＩＣであることが望ましく、一例としてはＲＦＩＤ（Radio
Frequency Identification）が挙げられる。このＩＣタグ１０５には、皿１０４に載せられる寿司の商品番号が登録されている。
【００２０】
データ入力装置１０６は、データベース（図示せず）に、各寿司の商品情報を入力する装置である。データ入力装置１０６は、ネットワークを介してモニタ制御装置１０７と接続されている。
モニタ制御装置１０７は、各モニタ装置１０２に表示すべき情報（即ち、商品情報）をデータベースから読み出し、各モニタ装置１０２の表示を制御する。モニタ制御装置１０７は、ネットワークを介して各モニタ装置１０２とデータ入力装置１０６とに接続されている。
モニタ制御装置１０７は、各装置と通信する通信部と、各プログラムを格納する記憶部と、プログラムを実行するとともに装置全体を制御する中央演算部と、を少なくとも備えており、後述するモニタ制御装置１０７の動作処理は、必要なプログラムを読み出した中央演算部により実行されるものとする。
なお、図１では、全ての装置が店内に設置された例を示したが、それ以外の構成であっても構わない。例えば、データ入力装置１０６とデータベースを店外（例えば本店）に設置し、情報を一元集中するように管理しても良い。この場合には、店内に設置されたモニタ制御装置１０７は、本店で集約された情報をネットワークを介して取得することが可能である。
【００２１】
図２は、皿１０４の一例を示す図であり、皿１０４の側面と裏面を示している。
回転寿司のコンベア１０１で移送される際の状態を示したものであり、皿の本体２０１と、本体２０１の底部に取り付けられたＩＣタグ２０２（図１のＩＣタグ１０５に相当）と、寿司２０３と、寿司ネタ２０４を図示している。
ＩＣタグ２０２には、皿１０４上に載せられる寿司ネタ２０４を示す商品番号がタグ情報として予め記憶されている。したがって、本実施形態では、寿司ネタ２０４ごとに異なる商品番号のＩＣタグ２０２を用意している。また、寿司２０３が載せられる皿１０４も、予め寿司ネタ２０４ごとに決められているものとする。
【００２２】
図３は、本実施形態の情報の流れを模式的に示す図である。
図３では、皿（図１の皿１０４参照）の裏面に取り付けられたＩＣタグ３０１（図１のＩＣタグ１０５に相当）と、ＩＣタグ３０１を読み込むタグリーダー３０２（図１のタグリーダー１０３に相当）と、商品番号、情報をモニタ装置３０５（図１のモニタ装置１０２に相当）の画面に表示させるモニタ制御装置３０３（図１のモニタ制御装置１０７に相当）と、モニタ制御装置３０３に備えられ、商品番号、商品情報を含むデータを格納するデータベース３０４と、商品情報を表示するモニタ装置３０５と、商品情報を入力するデータ入力装置３０６（図１のデータ入力装置１０６に相当）とを、それぞれ処理の流れのブロックとして模式的に示している。以下、情報の流れを説明する。
【００２３】
まず、タグリーダー３０２は、ＩＣタグ３０１に記憶されている商品番号を読み取り、読み取った商品番号を自身のタグリーダーＩＤとともにネットワークを介してモニタ制御装置３０３に送信する。例えば、商品番号０００１を記憶したＩＣタグ３０１の皿がコンベア（図１のコンベア１０１参照）のレーンに移送されている場合、タグリーダー３０２は商品番号０００１を読み取り、商品番号０００１を、自身のタグリーダーＩＤとともにモニタ制御装置３０３に送信する。
次に、モニタ制御装置３０３は、受信した商品番号をデータベース３０４で検索し、その商品番号と一致する商品の商品情報を取得する。モニタ制御装置３０３は、当該タグリーダー３０２が設置されたモニタ装置３０５に対し、取得した商品情報に従って画面を表示するように制御する。先の例で言えば、モニタ制御装置３０３は、データベース３０４の商品番号０００１の商品情報を取得し、取得した商品情報を、受信したタグリーダーＩＤに対応するモニタ装置３０５に表示するように制御する。
なお、データベース３０４の商品情報は、予めデータ入力装置３０６により登録しておくものとする。
【００２４】
図３で説明した模式図をフローチャートで簡単に纏めたのが図５である。図５では３段階のステップに分けて動作を示している。
第１段階では、タグリーダー３０２でＩＣタグ３０１を検知する（Ｓ１）。即ち、タグリーダー３０２は、タグリーダー３０２の前のコンベアのレーンにＩＣタグ３０１が取り付けられた皿が通過した時点でＩＣタグ３０１を検知する。
第２段階では、データベース３０４の参照を行う（Ｓ２）。即ち、タグリーダー３０２は、読み取った商品番号を自身のタグリーダーＩＤとともにモニタ制御装置３０３に送信し、モニタ制御装置３０３は、データベース３０４を検索し、受信された商品番号に対応する商品情報を参照する。
第３段階では、情報をモニタ装置３０５に表示する（Ｓ３）。即ち、モニタ制御装置３０３は、受信したタグリーダーＩＤと参照した商品情報に基づいて、必要な情報をモニタ装置３０５に表示するように制御する。
【００２５】
図４は、データベース４０１（図３のデータベース３０４に相当）に登録された商品情報の一例を示す図である。
データベース４０１には、データベース４０１内で一意な番号を示す商品番号４０２と、商品番号４０２に対応する商品名４０３と、商品番号４０２に対応する商品の動画データを格納した動画ファイル名４０４と、商品番号４０２に対応する紹介情報４０５と、商品番号４０２に対応するその他情報４０６が含まれている。
【００２６】
例えば、商品番号０００１に対応する情報としては、商品名として「えんがわ」が登録されており、商品番号０００１のＩＣタグが読み取られたときは、皿に盛られた寿司ネタがえんがわであることが示される。また、動画ファイル名として、えんがわを紹介する動画「engawa」が登録されており、えんがわを紹介する動画や、その魚としてヒラメ、カレイが画面上に表示される。なお、ここでは動画を例として説明したが、静止画であっても構わないし、動画および静止画の両方であっても構わない。また、えんがわの紹介情報（或いは説明情報）として「ヒラメ、カレイの鰭を動かすための筋肉のことをいい、コリコリとした舌ざわりが好まれます。」が登録されており、えんがわの説明が画面上に表示される。さらに、その他の情報として「どちらがヒラメでしょうか？」が登録されており、例えばクイズ形式でヒラメとカレイの画像を画面上に表示させることが考えられる。
又、前記商品情報には、例えば、商品である寿司の寿司ネタとなる生物の生態情報及び生態情報に対応する画像や、生物の生態状態又は生物の関連情報を表示する動画が含まれても良い。
【００２７】
データベース４０１にこのような商品情報が登録されているため、モニタ制御装置３０３は、タグリーダー３０２から受信した商品番号に対応する商品名、動画データや静止画データ、紹介情報、その他情報をモニタ装置３０５に表示するように制御することが可能となる。
なお、データベース４０１には、図４に示す商品情報のテーブルだけでなく、各タグリーダー３０２と各モニタ装置３０５の対応関係を示すテーブルも登録されているものとする。例えば、図１に示す如く、タグリーダー１０３ａのＩＤと、当該タグリーダー１０３ａが設置されたモニタ装置１０２ａのＩＤとが組として登録されている。他のタグリーダーについても、タグリーダー１０３ｂとモニタ装置１０２ｂ、タグリーダー１０３ｃとモニタ装置１０２ｃ、タグリーダー１０３ｄとモニタ装置１０２ｄ…、のように、それぞれが組として登録されている。これにより、モニタ制御装置１０７は、タグリーダー１０３から受信したタグリーダーＩＤから対応するモニタ装置１０２のＩＤを特定し、特定したモニタ装置１０２に対して適切な画面表示を制御することが出来る。
【００２８】
図６は、モニタ装置６０２（図１のモニタ装置１０２に相当）の主な表示例を示す図である。
図６では、回転寿司のコンベア６０１（図１のコンベア１０１に相当）と、コンベア６０１に沿って縦置きに設置されるモニタ装置６０２（図１のモニタ装置１０２に相当）と、モニタ装置６０２の手前を流れる皿６０３（図１の皿１０４に相当）と、皿６０３に載っている寿司６０４と、コンベア６０１により移送され、モニタ装置６０２を通り過ぎた皿６０５と、皿６０５（図１の皿１０４に相当）に載っている寿司６０６と、皿６０３の状態の際の表示内容を示す表示画面６０７と、皿６０５の状態の際の表示内容を示す表示画面６０８が示されている。（なお、皿６０３と皿６０５、寿司６０４と寿司６０６は夫々同一のものであり、時間差による位置関係や動きを説明するために敢えて異なる符号を付したものである。）
【００２９】
寿司を載せた皿がコンベア６０１上を流れ、右側方向から近づいてくると（ここでは皿６０３の位置で）、モニタ装置６０２またはモニタ装置６０２の近くに設置されたタグリーダーは、皿に取り付けられたＩＣタグを検知し、ＩＣタグに記録された商品番号を読み取る。ＩＣタグの検知距離は、表示画面６０７を表示するに当たり適切な距離で検知するようにタグリーダーを予め設定しておく。この検知距離は、再びタグを検知しなくなる皿６０５の位置における距離と同じ距離である。
商品番号を読み取ったタグリーダーがモニタ制御装置に商品番号を送信し、モニタ装置６０２がモニタ制御装置から当該商品番号に対応する商品情報を受信すると、表示画面６０７の右端に、商品情報に含まれる魚の画像を表示する。表示する画像は、ここでは静止画を例として説明するが、動画であっても構わない。また、画像を表示するとともに、画面の上部または下部に、商品情報に含まれる商品名（魚の名称）と、その紹介情報をスクロールで表示する。
【００３０】
皿がコンベア上を流れてゆくと、タグリーダーは、皿に取り付けられたＩＣタグの動きを検知し、モニタ装置６０２は、皿の動きに合わせて表示画面の魚の画像が右から左へと流れていくように（漸次変位するように）表示する。また、その他の商品情報も皿の動きに合わせてスクロールするようにしても良い。皿の動きは一定時間ごとに（例えば０．１秒ごとに）検知され、その都度、皿の移動距離に合わせて表示画面の魚の画像も移動するように表示される。
モニタ制御装置１０７は、タグリーダーがＩＣタグとタグリーダーとの距離を検知する（例えば、反射波の強弱によって距離を検知する）ことによってＩＣタグの動きを把握（検知）することができ（これにより、皿の移送速度も検知できる）、或いは、予めコンベア６０１の移送速度を入力しておくことで、初回の検知時点からの経過時間から計算することによりＩＣタグの動きを把握（検知）することができる。前者においては皿６０３の位置から皿６０５の位置までの距離と検知した皿の移送速度とから、表示画面の右端から左端までのどの位置に魚の画像を表示すべきか求めることが可能であり、後者においては、皿６０３の位置から皿６０５の位置までの距離とコンベアの移送速度とから、表示画面の右端から左端までのどの位置に魚の画像を表示すべきか求めることが可能である。
【００３１】
皿がコンベア６０１上を更に流れ、モニタ装置６０２の前を通過して検知距離の限界（検知範囲の限界）まで到達したときには（ここでは皿６０５の位置とする）、魚の画像は表示画面の左端まで移動し、表示画面６０８のように表示される。
以上のように、コンベア６０１に移送されている商品の情報を移送される皿の動きに合わせてモニタ装置６０２で表示することができる。その際、例えば、寿司６０４のネタの魚をコンベア６０１の動きに合わせて泳いでいる姿を表示することで店舗全体での効果的な商品紹介に活用することも可能となる。
つまり、本実施形態の情報表示システムおよび表示方法によれば、高い視覚効果で表示する情報表示システムおよび表示方法を実現することができる。
即ち、皿がコンベアで移送されている段階で、皿上の商品をモニタに表示し、客席に座っている客が早く商品を確認し、選択できるようにすることができる。
更に、客席に座っている客以外の客にも皿上の商品情報を広い範囲で公開することができる。
【符号の説明】
【００３２】
１０１，６０１  コンベア
１０２，１０２ａ〜１０２ｆ，３０５，６０２  モニタ装置
１０３，１０３ａ〜１０３ｆ，３０２  タグリーダー
１０４，６０３，６０５  皿
１０５，２０２，３０１  ＩＣタグ
１０７，３０３  モニタ制御装置
２０３，６０４，６０６  寿司
２０４  寿司ネタ
３０４,４０１  データベース
４０５  紹介情報
６０７，６０８  表示画面
【図１】
2012113526.tif 000003
【図２】
2012113526.tif 000004
【図３】
2012113526.tif 000005
【図４】
2012113526.tif 000006
【図５】
2012113526.tif 000007
【図６】
2012113526.tif 000008